(57)【要約】【課題】本発明は、携帯式電子装置の破損を招かない携帯ストラップ装着部品を提供することを目的とする。【解決手段】本発明に係る携帯ストラップ装着部品は、掛り部と、前記掛り部の１つの端面に設置される複数の係合部と、を備えてなる携帯式電子装置の本体に装着される。前記複数の係合部が囲んで隙間を形成し、前記係合部は弾性変形できる。【選択図】図１
2011015961.tif 000002
【特許請求の範囲】
【請求項１】
掛り部と、前記掛り部の１つの端面に設置される複数の係合部と、を備えてなる携帯式電子装置の本体に装着される携帯ストラップ装着部品であって、
前記複数の係合部が囲む隙間を形成し、前記係合部は弾性変形できることを特徴とする携帯ストラップ装着部品。
【請求項２】
前記係合部は、一端が前記掛り部に固定されている弾性部と、前記弾性部の外側に突出する第一フランジ部及び第二フランジ部と、を備え、
前記第一フランジ部は、前記弾性部の固定端に近接する箇所に形成され、
前記第二フランジ部は、前記弾性部の自由端に近接する箇所に形成されることを特徴とする請求項１に記載の携帯ストラップ装着部品。
【請求項３】
前記第二フランジ部の前記掛り部から離れている面には、前記携帯ストラップ装着部品の前記本体への装着を案内する第一装着斜面が形成されることを特徴とする請求項２に記載の携帯ストラップ装着部品。
【請求項４】
前記第二フランジ部の前記掛り部に対向する面には、前記携帯ストラップ装着部品の前記本体からの脱離を案内する脱離斜面が形成されていることを特徴とする請求項３に記載の携帯ストラップ装着部品。
【請求項５】
本体と、前記本体に結合するカバー体と、掛り部及び前記掛り部の１つの端面に設置される複数の係合部を有し、前記複数の係合部が囲んで隙間を形成する携帯ストラップ装着部品と、を備える携帯式電子装置であって、
前記複数の係合部が前記間隔に向かって弾性変形して、前記携帯ストラップ装着部品が前記本体に係合することを特徴とする携帯式電子装置。
【請求項６】
前記係合部は、一端が前記掛り部に固定されている弾性部と、前記弾性部の外側に突出する第一フランジ部及び第二フランジ部と、を備え、
前記第一フランジ部は、前記弾性部の固定端に近接する箇所に形成され、
前記第二フランジ部は、前記弾性部の自由端に近接する箇所に形成されることを特徴とする請求項５に記載の携帯式電子装置。
【請求項７】
前記本体は、装着孔が形成されている装着板を有する装着部を備え、
前記第二フランジ部は、前記装着孔を貫いて前記装着板に係合することを特徴とする請求項６に記載の携帯式電子装置。
【発明の詳細な説明】
【技術分野】
【０００１】
本発明は、携帯ストラップ(Strap)装着部品に関し、特に携帯電話或いは個人情報端末(PDA)のような携帯式電子装置に用いられる携帯ストラップ装着部品に関するものである。
【背景技術】
【０００２】
科学技術の発展に伴って、携帯電話、個人情報端末(PDA)のような携帯式電子装置は日常生活に広く用いられている。携帯式電子装置を便利に携帯する、或いは携帯式電子装置に加飾品を添装するために、携帯式電子装置には一般的に携帯ストラップ装着部品が設置されている。
【０００３】
従来の携帯ストラップ装着部品は、一般的に携帯式電子装置の筐体の端部に形成され、且つバー部を持つ貫通孔構造であり、加飾品及び携帯ストラップの紐を前記貫通孔構造に結着する。しかし、前記バー部が受ける力が、前記バー部の剛性を超過すれば、前記バー部が破壊されて、携帯式電子装置の破損を招く。
【発明の概要】
【発明が解決しようとする課題】
【０００４】
以上の問題点に鑑みて、本発明は、携帯式電子装置の破損を招かない携帯ストラップ装着部品を提供することを目的とする。
【課題を解決するための手段】
【０００５】
前記問題を解決するために、本発明に係る携帯ストラップ装着部品は、掛り部と、前記掛り部の１つの端面に設置される複数の係合部と、を備えており、携帯式電子装置の本体に装着される。前記複数の係合部が囲んで隙間を形成し、前記係合部は弾性変形できる。
【０００６】
また、本発明に係る携帯式電子装置は、本体と、前記本体に結合するカバー体と、掛り部及び前記掛り部の１つの端面に設置される複数の係合部を有し、前記複数の係合部が囲んで隙間を形成する携帯ストラップ装着部品と、を備える。前記複数の係合部が前記間隔に向かって弾性変形して、前記携帯ストラップ装着部品が前記本体に係合する。
【発明の効果】
【０００７】
本発明に係る携帯ストラップ装着部品及びそれを用いる携帯式電子装置において、係合部の弾性を利用して、前記携帯ストラップ装着部品が前記携帯式電子装置の本体に係合して、且つ前記係合部が一定の係合力を有するので、前記携帯ストラップ装着部品に作用する力が前記一定の係合力を超過すると、前記係合部に弾性変形が生じ、且つ前記弾性変形によって前記携帯ストラップ装着部品は前記本体から脱離する。従って、前記本体及び前記携帯ストラップ装着部品の破損を防ぐ一方、前記携帯ストラップ装着部品を再度前記本体に装着することができる。
【図面の簡単な説明】
【０００８】
【図１】本発明の実施形態に係る携帯ストラップ装着部品を備える携帯式電子装置の分解図である。
【図２】図１に示す携帯式電子装置の他の視点からの分解図である。
【図３】図１に示す携帯ストラップ装着部品の斜視図である。
【図４】図１に示す携帯式電子装置の斜視図である。
【発明を実施するための形態】
【０００９】
以下、図面に基づいて、本発明に係る携帯ストラップ装着部品及びそれを用いる携帯式電子装置に対して詳細に説明する。
【００１０】
図１及び図２を参照すると、本発明に係る携帯ストラップ装着部品１０は、携帯電話或いは個人情報端末（ＰＤＡ）のような携帯式電子装置１００に用いられる。
【００１１】
前記携帯式電子装置１００は、本体２０と、前記本体２０に結合されるカバー体３０と、前記本体２０に装着される携帯ストラップ装着部品１０と、前記携帯ストラップ装着部品１０に掛かる紐部５０と、前記紐部５０に装着される加飾品４０と、を備える。
【００１２】
図３を参照すると、前記携帯ストラップ装着部品１０は、円柱体である掛り部１１と、前記掛り部１１の１つの端面から延出して形成される複数の係合部１３と、を備える。前記掛り部１１には、前記紐部５０を掛けるための貫通孔１１１が形成されている。
【００１３】
本実施形態において、前記係合部１３の数量は２つであり、且つ前記掛り部１１の１つの端面において対称に設置される。各々の係合部１３は、略“Ｆ”字状であり、プラスチックのような弾性材料からなる。各々の係合部１３は、略矩形体であり且つその一端が前記掛り部１１の端面に固定されている弾性部１３１と、前記弾性部１３１の外側に突出する第一フランジ部１３３及び第二フランジ部１３５と、を備える。前記第一フランジ部１３３は、前記弾性部１３１の固定端に近接する箇所に形成され、前記第二フランジ部１３５は、前記弾性部１３１の自由端に近接する箇所に形成されている。
【００１４】
前記２つの係合部１３の間には、間隔１４が形成されており、前記間隔１４は前記２つの係合部１３に弾性変形できる空間を提供する。前記携帯ストラップ装着部品１０は、各々の係合部１３の弾性変形によって前記本体２０に着脱できる。
【００１５】
前記第二フランジ部１３５の前記掛り部１１からより離れている面には、第一装着斜面１３５１が形成されており、前記第二フランジ部１３５の前記掛り部１１に対向する面には、脱離斜面１３５３が形成されている。前記第一装着斜面１３５１は、前記携帯ストラップ装着部品１０が前記本体２０に装着される際に案内し、前記脱離斜面１３５３は前記携帯ストラップ装着部品１０が前記本体２０から脱離する際に案内する。
【００１６】
前記２つの係合部１３は、一定の係合力を有する。本実施形態において、前記係合部１３の係合力は、９０Ｎ〜１１０Ｎである。即ち、前記２つの係合部１３に作用する力が９０Ｎ〜１１０Ｎを超過すれば、前記２つの係合部１３は、前記間隔１４に向かって弾性変形して、前記携帯ストラップ装着部品１０を前記本体２０から脱離する。これによって、前記携帯ストラップ装着部品１０が破損することを免れる。
【００１７】
図１及び図２に示したように、前記本体２０は、底壁２１と、前記底壁２１の周縁に沿って垂直に形成されている周壁２３と、前記周壁２３の一側から前記本体２０の内部に向かって凹んで形成され且つ前記底壁２１の上に位置する装着部２５と、を備える。
【００１８】
前記装着部２５には、前記携帯ストラップ装着部品１０が装着される。前記装着部２５は、装着板２５１と、前記装着板２５１の両側に連接する２つの側板２５３と、前記装着板２５１及び前記２つの側板２５３に連接する頂板２５５と、を備え、前記装着板２５１、前記２つの側板２５３及び前記頂板２５５が囲んで装着凹部２５７を形成する。前記装着凹部２５７は、前記掛り部１１及び前記係合部１３の一部分を収容する。前記装着板２５１には、装着孔２５１１が形成されており、前記第二フランジ部１３５が前記装着孔２５１１に係合して、前記携帯ストラップ装着部品１０が前記本体２０に装着される。前記装着孔２５１１の周縁には、前記第二フランジ部１３５の第一装着斜面１３５１と当接して前記携帯ストラップ装着部品１０の装着を案内する第二装着斜面２５１３が形成されている。
【００１９】
前記カバー体３０における前記本体２０の装着部２５に対応する箇所には、欠口部３１が形成されている。前記カバー体３０を前記本体２０に係合すると、前記欠口部３１が前記装着部２５に対応するので、前記携帯ストラップ装着部品１０に掛かっている紐部５０は前記カバー体３０の欠口部３１を介して携帯式電子装置１００の外部に露出する。
【００２０】
前記加飾品４０は、製品のトレード・マーク、宝石、ダイヤモンドなどを備えてもよい。前記紐部５０は、ナイロン(Nylon)又はテリレン(Terylene)からなる線状物であり、その長さは使用者の要求によって決定される。
【００２１】
図１ないし図４を参照すると、前記携帯式電子装置１００を組み立てる時、先ず、前記携帯ストラップ装着部品１０の係合部１３が前記本体１０の装着孔２５１１に対向するように、前記係合部１３の第一装着斜面１３５１を前記装着孔２５１１の第二装着斜面２５１３に当接させる。次に、前記携帯ストラップ装着部品１０を前記本体２０の内側へ押圧すると、前記係合部１３の第一装着斜面１３５１及び前記装着孔２５１１の第二装着斜面２５１３の案内によって、前記係合部１３の弾性部１３１が弾性変形し、且つ前記係合部１３の第二フランジ部１３５が前記装着孔２５１１を通過すると、前記弾性部１３１は弾性回復する。この時、前記第一フランジ部１３３は、前記携帯ストラップ装着部品１０が前記本体２０の内部に完全に挿入されることを防ぎ、前記第二フランジ部１３５は、前記携帯ストラップ装着部品１０が前記本体２０から脱離することを防ぐ。次に、前記加飾品４０が装着されている紐部５０を前記貫通孔１１１に通して前記携帯ストラップ装着部品１０に装着する。最後に、前記カバー体３０を前記本体２０に結合することによって、前記携帯式電子装置１００の組立てが完了する。
【００２２】
本発明に係る携帯ストラップ装着部品１０及びそれを用いる携帯式電子装置１００において、係合部１３の弾性を利用して前記携帯ストラップ装着部品１０が前記携帯式電子装置１００の本体２０に係合して、且つ前記係合部１３が一定の係合力を有するので、前記携帯ストラップ装着部品１０に作用する力が前記一定の係合力を超過すれば、前記係合部１３に弾性変形が生じ、且つ前記弾性変形によって前記携帯ストラップ装着部品１０は前記本体２０から脱離する。従って、前記本体２０及び前記携帯ストラップ装着部品１０の破損を防ぐ一方、前記携帯ストラップ装着部品１０を再度前記本体２０に装着することができる。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２４】
１００    携帯式電子装置
１０      携帯ストラップ装着部品
１１      掛り部
１１１    貫通孔
１３      係合部
１３１    弾性部
１３３    第一フランジ部
１３５    第二フランジ部
１３５１  第一装着斜面
１３５３  脱離斜面
２０      本体
２１      底壁
２３      周壁
２５      装着部
２５１    装着板
２５１１  装着孔
２５１３  第二装着斜面
２５３    側板
２５５    頂板
２５７    装着凹部
３０      カバー体
３１      切欠部
４０      加飾品
５０      紐部
【図１】
2011015961.tif 000003
【図２】
2011015961.tif 000004
【図３】
2011015961.tif 000005
【図４】
2011015961.tif 000006